(57)【特許請求の範囲】
【請求項１】
情報を表示するディスプレイ部と、前記ディスプレイ部上に設けられ、接触体の近接及び接触操作を検知するタッチパネル部と、前記ディスプレイ部における情報の表示を制御するとともに、前記タッチパネル部にて検知された接触操作に応じた入力を受け付ける制御部とを有し、前記制御部が、前記ディスプレイ部における表示を自立的に切り替えるタッチパネル入力装置において、
前記制御部は、前記タッチパネル部にて接触体の近接が検知された場合、当該近接が検知されてから前記タッチパネル部にて前記接触体の接触が検知された後に当該接触が検知されなくなるまで前記ディスプレイ部における表示を切り替えないことを特徴とするタッチパネル入力装置。
【請求項２】
請求項１に記載のタッチパネル入力装置において、
前記制御部は、前記タッチパネル部にて接触体の近接が検知された場合、前記タッチパネル部にて前記接触体の接触が検知されなくなるまで、前記ディスプレイ部における表示のうち、前記近接が検知された領域の表示のみを切り替えないタッチパネル入力装置。
【請求項３】
請求項１に記載のタッチパネル入力装置において、
前記制御部は、前記ディスプレイ部に複数のウィンドウが表示されている状態にて前記タッチパネル部にて接触体の近接が検知された場合、前記タッチパネル部にて前記接触体の接触が検知されなくなるまで、前記ディスプレイ部における表示のうち、前記近接が検知された領域に表示されたウィンドウのみを切り替えないタッチパネル入力装置。
【請求項４】
情報を表示するディスプレイ部と、前記ディスプレイ部上に設けられ、接触体の近接及び接触操作を検知するタッチパネル部と、前記ディスプレイ部における情報の表示を制御するとともに、前記タッチパネル部にて検知された接触操作に応じた入力を受け付ける制御部とを有し、前記制御部が、前記ディスプレイ部における表示を自立的に切り替えるタッチパネル入力装置の制御方法であって、
前記タッチパネル部にて接触体の近接が検知された場合、当該近接が検知されてから前記タッチパネル部にて前記接触体の接触が検知された後に当該接触が検知されなくなるまで前記ディスプレイ部における表示を切り替えないタッチパネル入力装置の制御方法。
【発明の詳細な説明】
【技術分野】
【０００１】
本発明は、タッチパネル入力装置及びその制御方法に関する。
【背景技術】
【０００２】
タッチパネルは、スマートフォンをはじめとするデバイスに多数搭載されており、利用シーンが広がっている。タッチパネルの適応範囲は、コンシューマやエンターテイメントに属するメッセージの確認のみならず、今後は金融や生命に関わるようなミッションクリティカルな操作にも用いられる。このようなタッチパネルの代表的な動作としては、利用者が画面上に表示されるオブジェクト（ボタンや選択可能領域）を目で認識し、そのオブジェクト（またはその領域）を指等で触れると、ソフトウェアによって選択操作であると認識し、そのオブジェクトに予め対応づけられた動作を実行することが挙げられる。【０００３】
ここで、タッチパネルに対する接触操作を行った場合に、その接触した領域を拡大表示したり、ポインタを表示したりする技術が、例えば、特許文献１，２に開示されている。
【先行技術文献】
【特許文献】
【０００４】
【特許文献１】特開２００７−２８０３１６号公報
【特許文献２】特開２００９−２６１５５号公報
【発明の概要】
【発明が解決しようとする課題】
【０００５】
上述したようなタッチパネルを用いた入力装置においては、自立的に画面表示を切り替えない通常の静的な画面を表示している場合は、利用者がオブジェクトを目で認識して、それを接触する時系列的な順番に誤りは生じない。【０００６】
ところが、ポップアップやボタンがタイマーにより一定時間後に自動的に消滅したり、音声着信等の割り込みが発生して画面の表示が音声着信に自立的に切り替えられたりするような画面を表示している場合は、利用者がオブジェクトを目で認識し、指等で接触するまでの間に、タイマーの終了や、音声着信等の割り込みが発生すると、指が接触するのが、意図した「前の画面のオブジェクト」ではなく、タイマー終了や割り込みの後に発生した新しい画面に表示されている「後の画面のオブジェクト」となってしまう。【０００７】
そのため、本来はポップアップ上のボタン類のオブジェクトを利用者が指定したつもりになっているにも関わらず、実際にはポップアップが消えた後に表示されている画面上のオブジェクトを指定してしまい、意図した動作と異なってしまう。特に、誤った画面上に配置されたボタンが、ユーザーデータの消去や緊急通報発信の機能の場合、利用者にとって致命的な誤操作になり得る。このため、ミッションクリティカルなシステム上でのタッチパネル操作には、ユーザインタフェースの面において誤操作を潜在的に引き起こす欠陥が潜在する。【０００８】
以下に、その具体例について説明する。【０００９】
図１ａ〜図１ｄは、一般的なタッチパネル入力装置における通常動作を説明するための図である。【００１０】
図１ａに示すようなディスプレイ１１０上にタッチパネル１２０が配置されたタッチパネル入力装置においては、図１ｂに示すように、通常画面から何らかの操作で表示するポップアップ上のボタン情報１１１が表示された状態にて、そのボタン情報１１１に指１０２を近づけていくと、ボタン情報１１１上にポインタ１２１が表示される。そして、図１ｃに示すように、指１０２がボタン情報１１１に接触すると、ボタン情報１１１が緊急発信ボタンであることにより、緊急通報発信動作が行われる。その後、図１ｄに示すように、緊急通報発信画面１１２が表示され、利用者が意図した動作が行われる。【００１１】
図２ａ〜図２ｄは、一般的なタッチパネル入力装置における誤動作を説明するための図である。【００１２】
図２ａに示すようなディスプレイ１１０上にタッチパネル１２０が配置されたタッチパネル入力装置において、図２ｂに示すように、通常画面から何らかの操作で表示するポップアップ上のボタン情報１１１が表示された状態にて、そのボタン情報１１１に指１０２を近づけていくと、ボタン情報１１１上にポインタ１２１が表示される。ところが、このポップアップが無操作で放置されると、タイマー機能を用いてタイムアップした場合、一定時間後にポップアップが自動的に消滅することにより、ディスプレイ１１０における表示が自立的に切り替わる仕様のものがある。そのような仕様のものにおいては、利用者が画面を視認してタッチパネル１２０上に指１０２が接触するまでの間に、図２ｃに示すようにポップアップによるボタン情報１１１が消えてしまう場合がある。そのため、利用者としては緊急発信を行いたかったのに、図２ｄに示すように、ディスプレイ１１０にてボタン情報１１１が表示されていた領域に表示されている、音声発信の“５”キーを押した動作が実行されてしまう。【００１３】
このような動作が行われると、利用者が意図した動作が正しく実行されないこととなる。これを解決するにはポップアップを用いない画面を構築することが考えられる。ところが、ポップアップは、現状のスマートフォンの一般的なユーザインタフェースであり、ポップアップを用いず構築することが困難であり、また、ユーザビリティや視認性を損ねてしまう。【００１４】
また、一般的なパーソナルコンピュータ等においては、ユーザインタフェースとして、マウスとキーボードを主体とする操作体系において、画面上のオブジェクトの上にマウスのカーソルを配置すると（選択せずmouse  overの状態）、そのオブジェクトの補助情報が表示される。ところが、タッチパネルを主体とする操作体系においては、画面上のオブジェクトに接触するまでオブジェクトの補助情報を表示することができない。または、接触と同時に、オブジェクトに対応づけられた動作が実行されてしまい、オブジェクトの補助情報を表示することができない。【００１５】
そのため、タッチパネルの利用者にとって、オブジェクトをタッチすることに対して動作を予測できないことや誤操作を行う可能性があることによりストレスを与えてしまうという問題点がある。【００１６】
本発明は、上述したような技術が有する問題点に鑑みてなされたものであって、自立的に表示が切り替わるタッチパネル入力装置において表示の切り替わりによる誤動作を防止することができるタッチパネル入力装置及びその制御方法を提供することを目的とする。また、表示されたオブジェクトの補助情報を表示することができるタッチパネル入力装置及びその制御方法を提供することを目的とする。
【課題を解決するための手段】
【００１７】
上記目的を達成するために本発明は、
情報を表示するディスプレイ部と、前記ディスプレイ部上に設けられ、接触体の近接及び接触操作を検知するタッチパネル部と、前記ディスプレイ部における情報の表示を制御するとともに、前記タッチパネル部にて検知された接触操作に応じた入力を受け付ける制御部とを有し、前記制御部が、前記ディスプレイ部における表示を自立的に切り替えるタッチパネル入力装置において、
前記制御部は、前記タッチパネル部にて接触体の近接が検知された場合、当該近接が検知されてから前記タッチパネル部にて前記接触体の接触が検知された後に当該接触が検知されなくなるまで前記ディスプレイ部における表示を切り替えないことを特徴とする。【００１８】
また、情報を表示するディスプレイ部と、前記ディスプレイ部上に設けられ、接触体の近接及び接触操作を検知するタッチパネル部と、前記ディスプレイ部における情報の表示を制御するとともに、前記タッチパネル部にて検知された接触操作に応じた入力を受け付ける制御部とを有するタッチパネル入力装置において、
前記制御部は、前記タッチパネル部にて接触体の近接が検知された場合、前記タッチパネル部の当該近接が検知された領域に接触した場合の動作をガイド表示することを特徴とする。【００１９】
また、情報を表示するディスプレイ部と、前記ディスプレイ部上に設けられ、接触体の近接及び接触操作を検知するタッチパネル部と、前記ディスプレイ部における情報の表示を制御するとともに、前記タッチパネル部にて検知された接触操作に応じた入力を受け付ける制御部とを有し、前記制御部が、前記ディスプレイ部における表示を自立的に切り替えるタッチパネル入力装置の制御方法であって、
前記タッチパネル部にて接触体の近接が検知された場合、当該近接が検知されてから前記タッチパネル部にて前記接触体の接触が検知された後に当該接触が検知されなくなるまで前記ディスプレイ部における表示を切り替えない。【００２０】
また、情報を表示するディスプレイ部と、前記ディスプレイ部上に設けられ、接触体の近接及び接触操作を検知するタッチパネル部と、前記ディスプレイ部における情報の表示を制御するとともに、前記タッチパネル部にて検知された接触操作に応じた入力を受け付ける制御部とを有するタッチパネル入力装置の制御方法であって、
前記タッチパネル部にて接触体の近接が検知された場合、前記タッチパネル部の当該近接が検知された領域に接触した場合の動作をガイド表示する。
【発明の効果】
【００２１】
本発明は、タッチパネル部にて接触体の近接が検知された場合、近接が検知されてからタッチパネル部にて接触体の接触が検知された後に接触が検知されなくなるまでディスプレイ部における表示が切り替わらない構成としたため、利用者がディスプレイ部に表示されたオブジェクトを指定しようとしてタッチパネル部に指等の接触体を近接させた後は、接触体の接触が検知されなくなるまでディスプレイ部における表示が切り替わらないことになり、それにより、自立的に表示が切り替わるタッチパネル入力装置において表示の切り替わりによる誤動作を防止することができる。【００２２】
また、タッチパネル部にて接触体の近接が検知された場合、タッチパネル部の近接が検知された領域に接触した場合の動作をガイド表示する構成としたため、表示されたオブジェクトの補助情報を表示することができる。
【図面の簡単な説明】
【００２３】
【図１ａ】一般的なタッチパネル入力装置における通常動作を説明するための図である。
【図１ｂ】一般的なタッチパネル入力装置における通常動作を説明するための図である。
【図１ｃ】一般的なタッチパネル入力装置における通常動作を説明するための図である。
【図１ｄ】一般的なタッチパネル入力装置における通常動作を説明するための図である。
【図２ａ】一般的なタッチパネル入力装置における誤動作を説明するための図である。
【図２ｂ】一般的なタッチパネル入力装置における誤動作を説明するための図である。
【図２ｃ】一般的なタッチパネル入力装置における誤動作を説明するための図である。
【図２ｄ】一般的なタッチパネル入力装置における誤動作を説明するための図である。
【図３】本発明のタッチパネル入力装置の実施の一形態を示すブロック図である。
【図４】図３に示したタッチパネルにおける接触体の近接及び接触操作の検知の仕組みを説明するための図である。
【図５】図３に示したタッチパネルにおける接触体の近接及び接触操作の検知の仕組みを説明するための図である。
【図６ａ】図３に示したタッチパネルに対する操作の状態を示す図である。
【図６ｂ】図３に示したタッチパネルに対する操作に応じたディスプレイにおける表示方法を示す図である。
【図７】図３に示したスマートフォンの動作を説明するためのフローチャートである。
【図８ａ】図３に示したスマートフォンの動作の一例を示す図である。
【図８ｂ】図３に示したスマートフォンの動作の一例を示す図である。
【図８ｃ】図３に示したスマートフォンの動作の一例を示す図である。
【図８ｄ】図３に示したスマートフォンの動作の一例を示す図である。
【図９ａ】図３に示したスマートフォンの動作の他の例を示す図である。
【図９ｂ】図３に示したスマートフォンの動作の他の例を示す図である。
【図９ｃ】図３に示したスマートフォンの動作の他の例を示す図である。
【図９ｄ】図３に示したスマートフォンの動作の他の例を示す図である。
【図１０ａ】図３に示したスマートフォンの動作の他の例を示す図である。
【図１０ｂ】図３に示したスマートフォンの動作の他の例を示す図である。
【図１０ｃ】図３に示したスマートフォンの動作の他の例を示す図である。
【図１１ａ】本発明のタッチパネル入力装置における動作の一例を示す図である。
【図１１ｂ】本発明のタッチパネル入力装置における動作の一例を示す図である。
【図１２ａ】図３に示したスマートフォンの他の実施の形態における動作の一例を説明するための図である。
【図１２ｂ】図３に示したスマートフォンの他の実施の形態における動作の一例を説明するための図である。
【図１２ｃ】図３に示したスマートフォンの他の実施の形態における動作の一例を説明するための図である。
【図１３ａ】図３に示したスマートフォンの他の実施の形態における動作の他の例を説明するための図である。
【図１３ｂ】図３に示したスマートフォンの他の実施の形態における動作の他の例を説明するための図である。
【図１３ｃ】図３に示したスマートフォンの他の実施の形態における動作の他の例を説明するための図である。
【発明を実施するための形態】
【００２４】
以下に、本発明の実施の形態について図面を参照して説明する。
【００２５】
図３は、本発明のタッチパネル入力装置の実施の一形態を示すブロック図である。
【００２６】
本形態は図３に示すように、入力手段となるタッチパネル２０と、表示手段となるディスプレイ１０と、タッチパネル／ディスプレイ制御部３０と、処理部５０と、メモリ４０とを有したスマートフォン１である。なお、タッチパネル２０とディスプレイ１０とは、互いにずれて図示されているが、実際には、ディスプレイ１０上にタッチパネル２０が物理的に重ね合わされた構造となっている。
【００２７】
ディスプレイ１０は、液晶等から構成されており、タッチパネル／ディスプレイ制御部３０の制御によって画像等の情報を表示する。また、バックライト光源として白色ＬＥＤ６０を有している。
【００２８】
タッチパネル２０は、指等の接触体による近接及び接触操作が行われた場合にその近接及び接触操作を検知する。例えば、静電容量方式によるものを用いることが考えられる。
【００２９】
メモリ４０は、情報を記憶するものである。
【００３０】
処理部５０は、プログラム制御によってスマートフォン１における通信機能等の動作を制御する。
【００３１】
タッチパネル／ディスプレイ制御部３０は、処理部５０からの指示に基づいて、ディスプレイ１０における情報の表示を制御するとともに、タッチパネル１０にて検知された接触操作に応じた入力を受け付ける。また、タッチパネル／ディスプレイ制御部３０は、タイマーの終了や、音声着信等の割り込みが発生した場合に、ディスプレイ１０における表示を自立的に切り替える。タッチパネル２０の制御においては、タッチパネル２０に対する接触（指で接触を感知）と、近接（指の接近を感知し接触と同時にモードから外れる）との２つの状態を持つ。
【００３２】
図４及び図５は、図２に示したタッチパネル２０における接触体の近接及び接触操作の検知の仕組みを説明するための図である。
【００３３】
図３に示したタッチパネル／ディスプレイ制御部３０は、上述した２つの状態において、図４に示すように、タッチパネル２０の座標（ｘ，ｙ）を検出できる仕組みを具備している。タッチパネル２０に対する操作が接触操作であるか近接操作であるかを判断する条件は、タッチパネル２０から指２までの距離ｈに依存する。
【００３４】
例えばタッチパネル２０が静電容量方式のものである場合は、図５に示すように、静電容量と距離ｈとは相関の関係にある。そのため、一定の静電容量の閾値を決めて、検出された静電容量がその閾値以上の場合は近接操作と判断し、閾値未満の場合は接触操作と判断する。これは、一般的な静電容量方式で接触操作と近接操作とを判断する手法である。
【００３５】
図６ａは、図３に示したタッチパネル２０に対する操作の状態を示す図である。図６ｂは、図３に示したタッチパネル２０に対する操作に応じたディスプレイ１０における表示方法を示す図である。
【００３６】
図６ａに示すようにタッチパネル２０に指２が近接した場合、タッチパネル２０から指２までの距離ｈに応じてディスプレイ１０に表示するポインタの形状を変化させる。
【００３７】
例えば、図６ｂに示すように、近接操作と判断された状態において、距離ｈに応じてディスプレイ１０上に表示するポインタの半径ｒを変化させ、指２がタッチパネル２０に近接している状態における選択を行いやすくすることが考えられる。これは、距離ｈが短くなった場合にポインタの半径ｒを小さくする手法、距離ｈが短くなった場合にポインタの半径ｒを大きくする手法、距離ｈが変化してもポインタの半径ｒ（またはドット）が変化しない手法、何れで実施してもよい。
【００３８】
以下に、上記のように構成されたスマートフォン１の動作について説明する。
【００３９】
図７は、図３に示したスマートフォン１の動作を説明するためのフローチャートである。図８ａ〜図８ｄは、図３に示したスマートフォン１の動作の一例を示す図である。
【００４０】
図８ａに示すように図３に示したスマートフォン１が動作しており、処理部５０からの要求によって、図８ｂに示すように、ディスプレイ１０にてボタン情報１１が表示されている状態において、タイマーの終了や、音声着信等の割り込みが発生することにより、ディスプレイ１０における表示を自立的に切り替える画面描画要求が処理部５０にて発生すると（ステップ１）、タッチパネル／ディスプレイ制御部３０において、タッチパネル２０にて近接操作が検知されているかどうかが判断される（ステップ２）。
【００４１】
そして、タッチパネル２０にて近接操作が検知されている場合は、画面描画が禁止状態とされ、ディスプレイ１０における表示が切り替わらない（ステップ３）。なおこの際、図８ｂに示すように、ボタン情報１１上にポインタ２１が表示されている。
【００４２】
これにより、図８ｃに示すようにディスプレイ１０上にてボタン情報１１が表示されたままの状態で、ボタン情報１１が表示された領域に指２を接触させることができ、ボタン情報１１に対する接触操作に応じた動作が行われる。そして、図８ｄに示すように、その動作に応じた緊急通報発信画面１２が表示されることになる。この際、ボタン情報１１に対する接触操作が行われた後は、指２がタッチパネル２０に接触していないため（ステップ４）、画面描画が許可状態とされ（ステップ５）、ディスプレイ１０の表示が切り替わることになる（ステップ６）。
【００４３】
このように、本形態においては、タッチパネル／ディスプレイ制御部３０の制御によって、タッチパネル２０にて指２の近接が検知された場合、近接が検知されてからタッチパネル２０にて指２の接触が検知された後に接触が検知されなくなるまで、利用者が指定しようとするオブジェクトとなるボタン情報１１が消滅しない。それにより、タッチパネル１０に表示されたボタン情報１１を指定するために指２がタッチパネル１０に近接したときと、その後、指２がタッチパネル１０に接触したときとで、ディスプレイ２０における画面表示に相違が無くなり、図２ｃ及び図２ｄにて示したような誤操作を回避することができる。
【００４４】
図９ａ〜図９ｄは、図３に示したスマートフォン１の動作の他の例を示す図である。
【００４５】
図９ａ〜図９ｄに示すように、タッチパネル２０に表示された情報のうち、指２が接触するボタン情報１１以外の領域に表示された情報を切り替えることも考えられる。
【００４６】
図９ａに示すように図３に示したスマートフォン１のディスプレイ１０に表示情報１３ａが表示されており、処理部５０からの要求によって、図９ｂに示すように、ディスプレイ１０にてボタン情報１１が表示されている状態において、タイマーの終了等の割り込みが発生することにより、ディスプレイ１０における表示を自立的に切り替える画面描画要求が処理部５０にて発生すると、タッチパネル／ディスプレイ制御部３０において、タッチパネル２０にて近接操作が検知されているかどうかが判断される。
【００４７】
そして、タッチパネル２０にて近接操作が検知されている場合は、画面描画が禁止状態とされ、図９ｃに示すように、ディスプレイ１０に表示された情報のうち、指２が近接しているボタン情報１１のみが切り替わらず、その他の領域に表示された表示情報１３ａのみが表示情報１３ｂに切り替わる。
【００４８】
これにより、ディスプレイ１０上にてボタン情報１１が表示されたままの状態で、ボタン情報１１が表示された領域に指２を接触させることができ、ボタン情報１１に対する接触操作に応じた動作が行われる。そして、図９ｄに示すように、その動作に応じた発信情報１２ａが表示されることになる。この際、ボタン情報１１に対する接触操作が行われた後は、指２がタッチパネル２０に接触していないため、ボタン情報１１が消滅してディスプレイ１０の表示が切り替わることになる。
【００４９】
図１０ａ〜図１０ｃは、図３に示したスマートフォン１の動作の他の例を示す図である。
【００５０】
図１０ａ〜図１０ｃに示すように、表示を切り替えないものとする単位は、タッチパネル１０に指２が近接している座標（ｘ，ｙ）を検知し、その座標上に表示されたボタンのみにして、ボタン以外の画面を切り替えることも考えられる。
【００５１】
図１０ａに示すように図３に示したスマートフォン１のディスプレイ１０に表示情報１３ａが表示されており、処理部５０からの要求によって、ディスプレイ１０にてボタン情報１１が表示されている状態において、タイマーの終了等の割り込みが発生することにより、ディスプレイ１０における表示を自立的に切り替える画面描画要求が処理部５０にて発生すると、タッチパネル／ディスプレイ制御部３０において、タッチパネル２０にて近接操作が検知されているかどうかが判断される。
【００５２】
そして、タッチパネル２０にて近接操作が検知されている場合は、画面描画が禁止状態とされ、図１０ｂに示すように、ディスプレイ１０に表示された情報のうち、指２が近接しているボタン情報１１に含まれる指示情報１１ａのみが切り替わらず、ボタン情報１１のその他の部分が消滅するとともに、ボタン情報１１以外の領域に表示された表示情報１３ａが表示情報１３ｂに切り替わる。
【００５３】
これにより、ディスプレイ１０上にてボタン情報１１の指示情報１１ａが表示されたままの状態で、指示情報１１ａが表示された領域に指２を接触させることができ、指示情報１１ａに対する接触操作に応じた動作が行われる。そして、図１０ｃに示すように、その動作に応じた緊急通報発信画面１２が表示されることになる。この際、指示情報１１ａに対する接触操作が行われた後は、指２がタッチパネル２０に接触していないため、指示情報１１ａが消滅してディスプレイ１０の表示が切り替わることになる。
【００５４】
また、スマートフォン１に限らず、タブレットやパーソナルコンピュータ等のディスプレイの面積が広いデバイスにおいて、複数のウィンドウが表示されている状態で、接触体が近接している座標（ｘ，ｙ）を検知し、その座標を含むウィンドウのみについて、上記同様に表示の切り替えを行わない構成とすることも考えられる。
【００５５】
図１１ａ及び図１１ｂは、本発明のタッチパネル入力装置における動作の一例を示す図である。
【００５６】
図１１ａに示すように、タッチパネル入力装置のディスプレイ上に複数のウィンドウ１４ａ〜１４ｃが表示されている状態において、割り込み等が発生した場合、図１１ｂに示すように、指が近接していてポインタ２１が表示されているウィンドウ１４ａのみについて表示を切り替えず、他のウィンドウ１４ｂ，１４ｃをウィンドウ１４ｄ，１４ｅに切り替えることも考えられる。
【００５７】
これにより、ディスプレイに表示された情報が割り込み等で切り替えられても、接触するウィンドウのみが残り、利用者は所望の選択が可能となる。また、この場合においても、近接状態ではなくなると、このウィンドウを消滅させてもよい。
【００５８】
（他の実施の形態）
本形態においては、図３に示した構成を有するスマートフォン１において、タッチパネル／ディスプレイ制御部３０が、タッチパネル２０にて接触体の近接が検知された場合、タッチパネル２０の近接が検知された領域に接触した場合の動作をガイド表示する。
【００５９】
図１２ａ〜図１２ｃは、図３に示したスマートフォン１の他の実施の形態における動作の一例を説明するための図である。
【００６０】
図１２ａに示すように図３に示したスマートフォン１のディスプレイ１０に電話番号のテンキーからなる表示情報１３ａが表示されている状態において、利用者の指が近接することによって、図１２ｂに示すようにディスプレイ１０に表示されたポインタ２１が、ディスプレイ１０上の同一のオブジェクトの座標（ｘ，ｙ）に一定時間滞留した場合、図１２ｃに示すように、そのオブジェクトに接触した場合の動作のガイド表示となるＴｉｐｓ表示１６がなされる。これはポップアップでもよく、吹き出しでもよい。本例では、単押ししたときに電話番号が入力されることと、長押しで電話帳のＪＫＬを表示する機能であることを、利用者に伝えている。
【００６１】
タッチパネル２０のキーは、選択しないと動作が不明なことが多い。一方、一般的なパーソナルコンピュータ等のマウスでは、選択しなくても、そのオブジェクトのガイドをＴｉｐｓとして表示する機能がある。この機能を具備するために、タッチパネルの近接状態と、近接した（Ｘ，Ｙ）座標を用いて、Ｔｉｐｓを表示させる。これにより、タッチパネルの操作を行うことなく、キーのガイドを表示する機能を実現することができる。
【００６２】
図１３ａ〜図１３ｃは、図３に示したスマートフォン１の他の実施の形態における動作の他の例を説明するための図である。
【００６３】
図１３ａに示すように図３に示したスマートフォン１のディスプレイ１０に複数の項目からなる表示情報１３ｂが表示されている状態において、利用者の指が近接することによって、図１３ｂに示すようにディスプレイ１０に表示されたポインタ２１が、ディスプレイ１０上の同一のオブジェクトの座標（ｘ，ｙ）に一定時間滞留した場合、図１３ｃに示すように、そのサマリー表示１７をしたり、１階層下の項目を表示したりすることも考えられる。
【００６４】
また、電子メールの一覧を表示している場合において、電子メールの本文をＴｉｐｓとして表示したり、電話帳の一覧で表示した場合は、その１階層下の項目を表示したり、設定内容を表示させることも考えられる。
【００６５】
以上、実施例を参照して本願発明を説明したが、本願発明は上記実施例に限定されるものではない。本願発明の構成や詳細には、本願発明のスコープ内で当業者が理解し得る様々な変更をすることができる。
【００６６】
この出願は、２０１２年２月２０日に出願された日本出願特願２０１２−３３９６８を基礎とする優先権を主張し、その開示の全てをここに取り込む。
【図１ａ】
0006044631.tif 000002
【図１ｂ】
0006044631.tif 000003
【図１ｃ】
0006044631.tif 000004
【図１ｄ】
0006044631.tif 000005
【図２ａ】
0006044631.tif 000006
【図２ｂ】
0006044631.tif 000007
【図２ｃ】
0006044631.tif 000008
【図２ｄ】
0006044631.tif 000009
【図３】
0006044631.tif 000010
【図４】
0006044631.tif 000011
【図５】
0006044631.tif 000012
【図６ａ】
0006044631.tif 000013
【図６ｂ】
0006044631.tif 000014
【図７】
0006044631.tif 000015
【図８ａ】
0006044631.tif 000016
【図８ｂ】
0006044631.tif 000017
【図８ｃ】
0006044631.tif 000018
【図８ｄ】
0006044631.tif 000019
【図９ａ】
0006044631.tif 000020
【図９ｂ】
0006044631.tif 000021
【図９ｃ】
0006044631.tif 000022
【図９ｄ】
0006044631.tif 000023
【図１０ａ】
0006044631.tif 000024
【図１０ｂ】
0006044631.tif 000025
【図１０ｃ】
0006044631.tif 000026
【図１１ａ】
0006044631.tif 000027
【図１１ｂ】
0006044631.tif 000028
【図１２ａ】
0006044631.tif 000029
【図１２ｂ】
0006044631.tif 000030
【図１２ｃ】
0006044631.tif 000031
【図１３ａ】
0006044631.tif 000032
【図１３ｂ】
0006044631.tif 000033
【図１３ｃ】
0006044631.tif 000034